(57)【要約】【課題】コンクリートと石材との間に空気溜りが形成されるのを防止し、コンクリートを所定の強度に保つ。【解決手段】型枠の内側に複数の石材３、３…を設け、石材３、３…の内側に上部が開口する空間を形成し、この空間内に高流動コンクリート７を打設し、空間の開口部を石材からなる蓋体９で閉塞する。蓋体９の裏面にはフィルターシート８が設けられ、蓋体９の一部にはフィルターシート８の一部を開口させる開口部１１が設けられる。高流動コンクリート７の打設の際に高流動コンクリート７中に混入する気泡は、フィルターシート８及び開口部１１を介して外部に放出される。【選択図】        図２
2004197361.tif 000002
【特許請求の範囲】
【請求項１】
内側に上部が開口する空間を形成するよう組み合わされる複数の化粧板からなる箱体と、前記空間内に打設されるコンクリートと、前記空間の開口部を閉塞する化粧板からなる蓋体とを備えてなるプレキャストコンクリート製品であって、前記蓋体の裏面にはエアー通路となるフィルターシートを設けるとともに、前記蓋体の一部に前記フィルターシートの一部を外部に連通させる開口部を設けたことを特徴とするプレキャストコンクリート製品。
【請求項２】
請求項１記載のプレキャストコンクリート製品において、
前記コンクリートとして高流動コンクリートを用い、前記開口部を前記蓋体となる化粧板どうしの間の目地によって構成していることを特徴とするプレキャストコンクリート製品。
【請求項３】
型枠の内側に複数の化粧板からなる箱体を設けて、箱体内側に上部が開口する空間を形成し、この空間内にコンクリートを打設し、空間の開口部を化粧板からなる蓋体で閉塞してなるプレキャストコンクリート製品の製造方法であって、前記蓋体の裏面にエアー通路となるフィルターシートを設けるとともに、前記蓋体の一部に前記フィルターシートの一部を外部に連通させる開口部を設け、コンクリートの打設の際にコンクリート中に混入する気泡を前記フィルターシート及び前記開口部を介して外部に放出させることを特徴とするプレキャストコンクリート製品の製造方法。
【発明の詳細な説明】
【０００１】
【発明の属する技術分野】
本発明は、表面に複数の石材等の化粧板を貼設してなるプレキャストコンクリート製品及びその製造方法に関するものである。
【０００２】
【従来の技術】
一般に、表面に石材等の化粧板を貼設してなるプレキャストコンクリート製品は、４方向に石材が貼設される直方体状のものの場合、縦打ち法により製造される。
【０００３】
すなわち、縦打ち法は、４方向から囲まれるように複数の石材を組み合わせて、石材の内側に上部が開口する縦向き直方体状の空間を形成し、この空間内に上部開口部からコンクリートを打設することにより、表面に複数の石材を貼設した直方体状のプレキャストコンクリート製品を製造するものである（例えば、特許文献１参照。）。
【０００４】
【特許文献１】
特開平９−１９３１１５号公報
【０００５】
【発明が解決しようとする課題】
しかしながら、縦打ち法により製造するプレキャストコンクリート製品の場合には、製品の高さや配筋などによってコンクリートが分離し、緻密なコンクリートを打設することができなくなり、強度が大幅に低下し、所望の強度が得られなくなる。
【０００６】
一方、上記のような問題に対処した製造方法の一つに横打ち法がある。横打ち法は、３方型枠を用い、３方型枠の内側に複数の石材を設け、石材の内側に上部が開口する横向き直方体状の空間を形成し、この空間内に上部開口部からコンクリートを打設し、空間の開口部を石材からなる蓋で閉塞することにより、表面に複数の石材を貼設した直方体状のプレキャストコンクリート製品を製造するものである。
しかしながら、横打ち法によりプレキャストコンクリート製品を製造した場合には、コンクリートの打設の際にコンクリート中に混入した気泡が蓋とコンクリートとの間に空気溜りを形成してしまい、この空気溜りによって強度が大幅に低下し、所望の強度が得られなくなるばかりか、表面の石材が割れやすくなったり、何かがあたった際に異音が発生したりする。
【０００７】
本発明は、上記のような従来の問題に鑑みなされたものであって、柱の高さや配筋等によってコンクリートが分離して緻密なコンクリートを打設することができなくなるようなことがなく、また、石材とコンクリートとの間に気泡による空気溜りが形成されて強度が低下するようなことがなく、所望の強度が確実に得られるプレキャストコンクリート製品およびその製造方法を提供することを目的とするものである。
【０００８】
【課題を解決するための手段】
本発明は、上記のような課題を解決するために、以下のような手段を採用している。すなわち、請求項１に係る発明は、内側に上部が開口する空間を形成するよう組み合わされる複数の化粧板からなる箱体と、前記空間内に打設されるコンクリートと、前記空間の開口部を閉塞する化粧板からなる蓋体とを備えてなるプレキャストコンクリート製品であって、前記蓋体の裏面にはエアー通路となるフィルターシートを設けるとともに、前記蓋体の一部に前記フィルターシートの一部を外部に連通させる開口部を設けたことを特徴とする。
この発明によれば、コンクリートの打設の際にコンクリート中に混入した気泡は、コンクリートと蓋体との接触部に集められ、その部分に位置するフィルターシートを介して蓋体の開口部から外部に放出されることになる。
【０００９】
請求項２に係る発明は、請求項１記載のものにおいて、前記コンクリートとして高流動コンクリートを用い、前記開口部を前記蓋体となる化粧板どうしの間の目地によって構成していることを特徴とする。
この発明によれば、高流動コンクリートを用いているので、箱体の隅部まですみやかにコンクリートを供給することができるので、エアー溜まりの発生をより一層防止できる。また、開口部を化粧板どうし間の目地を利用して形成するので、化粧板に対し特別な加工を施すことなく、エアー抜き用の開口部を得ることができる。
【００１０】
請求項３に係る発明は、型枠の内側に複数の化粧板からなる箱体を設けて、箱体内側に上部が開口する空間を形成し、この空間内にコンクリートを打設し、空間の開口部を化粧板からなる蓋体で閉塞してなるプレキャストコンクリート製品の製造方法であって、前記蓋体の裏面にエアー通路となるフィルターシートを設けるとともに、前記蓋体の一部に前記フィルターシートの一部を外部に連通させる開口部を設け、コンクリートの打設の際にコンクリート中に混入する気泡を前記フィルターシート及び前記開口部を介して外部に放出させることを特徴とする。
この発明によるプレキャストコンクリート製品の製造方法によれば、コンクリートの打設の際にコンクリート中に混入した気泡は、コンクリートと蓋体との接触部に集められ、その部分に位置するフィルターシートを介して蓋体の開口部から外部に放出されることになる。
【００１１】
【発明の実施の形態】
以下、図面に示す本発明の実施の形態について説明する。
図１及び図２には、本発明によるプレキャストコンクリート製品の一実施の形態が示されていて、このプレキャストコンクリート製品１は、直方体状のコンクリート部２と、このコンクリート部２の表面に貼設される石材３と、石材３とコンクリート部２との間に設けられるフィルターシート８とを備えている。
【００１２】
そして、上記のような構成のプレキャストコンクリート製品１を製造するには、３方型枠４の内側に複数の平板状の石材３、３…を設けて、隣接する石材３、３の端面同士を接触させ、複数の石材３、３…の内側に上部が開口する直方体状の空間５を形成する。つまり、複数の石材３、３…によって上部が開口する箱体３Ａを構成する。
【００１３】
そして、各石材３の内面（空間に面している面）に弾性エポキシ材からなる裏面処理材を所定の厚みで塗布し、その部分に所定の厚みの裏面処理材層６を形成する。なお、裏面処理材は、弾性エポキシ材に限らず、同様の特性を有するものであれば良いものである。
【００１４】
そして、複数の石材３、３…からなる箱体３Ａの内側の空間５内に上部開口部から高流動コンクリート７を打設し、空間５内にコンクリート７を充満させ、空間５の開口部に位置するコンクリート７の表面にフィルターシート８を敷設する。具体的には、後述する蓋体９となる石材３の裏面に前記裏面処理材層６を形成する処理を行うのに加え、フィルタシート８を予め貼り付けておく。
【００１５】
フィルターシート８は、空気を透過させかつ空気の通路となるものであれば特に制限はなく、例えば、樹脂製又は金属製の不織布、織布、メッシュ等が挙げられるが、これに限らず、同様の特性を有するものであれば良い。
【００１６】
そして、フィルターシート８を貼り付けた石材３からなる蓋体９により、コンクリート７を打設された空間５の開口部を閉塞する。この場合、蓋体９の裏面側（コンクリート７側の面）には前述したように予め裏面処理材を塗布しておき、その部分に所定の厚みの裏面処理材層６を形成しかつフィルターシート８を貼り付けておく。
【００１７】
さらに、蓋体９を構成する複数の石材３、３…のうち、長手方向に隣接する石材３、３間に形成される目地１０に対応する部分には、図２に示すように、フィルターシート８を重ねるように敷設し、この目地１０をフィルターシート８を開口させる開口部１１とする。なお、底面側又は側面側に位置する複数の石材３、３…の長手方向に隣接する石材３、３間に形成される目地１２にはバックアップ部材１３を設け、その部分を密閉する。
このようにして、直方体状のコンクリート部２の表面に石材３、３…を貼設したプレキャストコンクリート製品１が製造されるものである。
【００１８】
上記のように構成したこの実施の形態によるプレキャストコンクリート製品１にあっては、石材３、３…の内側に形成される空間５内に高流動コンクリート７を打設する際に、高流動コンクリート７中に混入した気泡は、高流動コンクリート７を介して石材３からなる蓋体９と高流動コンクリート７との間に集中し、その部分に位置するフィルターシート８を介して、蓋体９の隣接する石材３、３間の開口部１１から外部に放出されることになる。
【００１９】
従って、石材３からなる蓋体９と高流動コンクリート７との間に空気溜りが形成されるのを防止できるので、空気溜りの存在によって高流動コンクリート７の強度が低下するようなことはなく、所望の強度が得られることになる。
【００２０】
なお、前記の説明においては、本発明によるプレキャストコンクリート製品１およびその製造方法を直方体状のコンクリート部２の表面に石材３、３…を貼設したものに適用したが、それ以外の構造物、建造物等に本発明によるプレキャストコンクリート製品およびその製造方法を適用しても良いものであり、その場合にも同様の作用効果を奏するのは勿論のことである。また、前記実施の形態では、化粧板の例として石材３を用いたが、勿論、他の構成の化粧板を用いる場合にあっても、本発明が適用できるのは言うまでもない。
【００２１】
【発明の効果】
以上、説明したように、本発明によれば、コンクリートの打設の際にコンクリート中に混入した気泡を、コンクリートと蓋体との間に位置するフィルターシートを介して蓋体の開口部から外部に放出させることができることになる。従って、コンクリートと蓋体との間に気泡による空気溜りが形成されて、コンクリートの強度が低下するようなことはなく、所定の強度が確実に得られることになる。
【図面の簡単な説明】
【図１】本発明によるプレキャストコンクリート製品の一実施の形態の全体を示した概略斜視図である。
【図２】図１の縦断面図である。
【符号の説明】
１  プレキャストコンクリート製品
３  石材（化粧板）
３Ａ  箱体
５  空間
７  コンクリート
８  フィルターシート
９  蓋体
１１  開口部
【図１】
2004197361.tif 000003
【図２】
2004197361.tif 000004